(57)【要約】本発明は、カソードを有する電気化学電池の第１の領域から第１の生成物を生成し、アノードを有する前記電気化学電池の第２の領域から第２の生成物を生成するシステム及び方法である。前記方法は、前記第１の領域を、二酸化炭素を含むカソード液と接触させる工程を含むことができる。前記方法は、前記第２の領域を、再生利用反応物と、アルカン、ハロアルカン、アルケン、ハロアルケン、芳香族化合物、ハロゲン化芳香族化合物、複素芳香族化合物またはハロゲン化複素芳香族化合物のうち少なくとも１種を含むアノード液と接触させる別の工程を含むことができる。さらに、前記方法は、前記アノードと前記カソードとの間に十分な電位を印加して、第１の領域から回収可能な第１の生成物と第２の領域から回収可能な第２の生成物を生成する工程を含むことができる。【選択図】図１
2015533947.tif 000002
【特許請求の範囲】
【請求項１】
カソードを有する電気化学電池の第１の領域から第１の生成物を生成し、アノードを有する前記電気化学電池の第２の領域から第２の生成物を生成する方法であって、
前記第１の領域を、二酸化炭素を含むカソード液と接触させる工程と、
前記第２の領域を、再生利用反応物と、アルカン、ハロアルカン、アルケン、ハロアルケン、芳香族化合物、ハロゲン化芳香族化合物、複素芳香族化合物またはハロゲン化複素芳香族化合物のうち少なくとも１種を含むアノード液と接触させる工程と、
前記アノードと前記カソードとの間に十分な電位を印加して、第１の領域から回収可能な第１の生成物と第２の領域から回収可能な第２の生成物を生成する工程とを含む方法。
【請求項２】
前記再生利用反応物はハロゲン化水素を含む、請求項１に記載の方法。
【請求項３】
前記ハロゲン化水素はＨＸであり、ＸはＦ、Ｃｌ、Ｂｒ、Ｉ、及びこれらの混合物からなる群から選択される、請求項２に記載の方法。
【請求項４】
前記再生利用反応物はハロゲン化塩を含む、請求項１に記載の方法。
【請求項５】
前記ハロゲン化塩はＡＸであり、ＡはＬｉ、Ｎａ、Ｋ、Ｃｓ、及びこれらの混合物からなる群から選択され、ＸはＦ、Ｃｌ、Ｂｒ、Ｉ、及びこれらの混合物からなる群から選択される、請求項４に記載の方法。
【請求項６】
前記第１の生成物はＣＯ、ギ酸、ホルムアルデヒド、メタノール、メタン、シュウ酸塩、シュウ酸、グリオキシル酸、グリオキシル酸塩、グリコール酸、グリコール酸塩、グリオキサール、グリコールアルデヒド、エチレングリコール、酢酸、酢酸塩、アセトアルデヒド、エタノール、エタン、エチレン、乳酸、乳酸塩、プロピオン酸、プロピオン酸塩、アセトン、２−プロパノール、１−プロパノール、１，２−プロピレングリコール、プロパン、プロピレン、１−ブタノール、２−ブタノン、２−ブタノール、ブタン、ブタン、カルボン酸、カルボン酸塩、ケトン、アルデヒド、アルコールのうち少なくとも１種を含む請求項１に記載の方法。
【請求項７】
前記第２の生成物は、ポリハロアルケン、ペルハロアルケン、ポリハロアルカン、またはペルハロアルカンを含む、請求項１に記載の方法。
【請求項８】
前記第２の生成物はハロゲン化化合物を含む、請求項１に記載の方法。
【請求項９】
前記第２の領域から前記ハロゲン化化合物を除去することと、
前記ハロゲン化化合物を別の化合物に転換することとをさらに含む、請求項８に記載の方法。
【請求項１０】
前記別の化合物は、再生利用反応物、アルコール、アルケン、またはこれらの混合物のうち少なくとも１種を含む、請求項９に記載の方法。
【請求項１１】
前記第１の領域のカソード液は、炭酸プロピレン、水、メタノール、エタノール、ジメチルホルムアミド、ジメチルスルホキシド、及びピロリジノンからなる群より選ばれる溶媒をさらに含む、請求項１に記載の方法。
【請求項１２】
前記第１の領域のカソード液と前記第２の領域のアノード液とは、６００℃未満の温度で動作するイオン透過性障壁により分けられている、請求項１に記載の方法。
【請求項１３】
前記イオン透過性障壁は重合体イオン透過性障壁または無機セラミック製イオン透過性障壁のうちいずれかを含む、請求項１２に記載の方法。
【請求項１４】
前記カソード液は液相であり、前記アノード液は気相である、請求項１に記載の方法。
【請求項１５】
カソードを有する電気化学電池の第１の領域から第１の生成物を生成し、アノードを有する前記電気化学電池の第２の領域から第２の生成物を生成する方法であって、
前記電気化学電池の前記第１の領域で二酸化炭素の供給を受けることと、
前記第１の領域を、二酸化炭素を含むカソード液と接触させることと、
前記電気化学電池の前記第２の領域で、再生利用反応物ＡＸ（ＸはＦ、Ｃｌ、Ｂｒ、Ｉ、及びこれらの混合物からからなる群より選ばれ、ＡはＨ、Ｌｉ、Ｎａ、Ｋ、Ｃｓ、及びこれらの混合物からなる群より選ばれる）と少なくとも１種のアルカンを受けることと、
前記第２の領域を、前記再生利用反応物と前記少なくとも１種のアルカンを含むアノード液と接触させることと、
前記アノードと前記カソードとの間に十分な電位を印加して、第１の領域から回収可能な第１の生成物と第２の領域から回収可能な第２の生成物を生成することとを含む、方法。
【請求項１６】
前記第１の領域から回収可能な第１の生成物は酢酸を含む、請求項１５に記載の方法。
【請求項１７】
前記第２の領域から回収可能な第２の生成物は前記再生利用反応物と前記少なくとも１種のアルカンから形成されたハロゲン化化合物を含む、請求項１５に記載の方法。
【請求項１８】
前記ハロゲン化化合物を前記第２の領域から除去することと、
前記ハロゲン化化合物を別の化合物に転換すること、とをさらに含む、請求項１７に記載の方法。
【請求項１９】
前記別の化合物は、再生利用反応物、アルコール、アルケン、またはこれらの混合物のうち少なくとも１種を含む、請求項１８に記載の方法。
【請求項２０】
前記カソード液は、炭酸プロピレン、水、メタノール、エタノール、ジメチルホルムアミド、ジメチルスルホキシド、及びピロリジノンからなる群より選ばれる溶媒をさらに含む、請求項１５に記載の方法。
【請求項２１】
前記第１の領域のカソード液と前記第２の領域のアノード液とは、６００℃未満の温度で動作するイオン透過性障壁により仕切られている、請求項１５に記載の方法。
【請求項２２】
前記イオン透過性障壁は、重合体イオン透過性障壁または無機セラミック製イオン透過性障壁のいずれか一方を含む、請求項２１に記載の方法。
【請求項２３】
前記カソード液は液相であり、前記アノード液は気相である、請求項１５に記載の方法。
【請求項２４】
生成物を電気化学的に共生成するシステムであって、
第１の領域と、前記第１の領域に関連づけられたカソードと、第２の領域と、前記第２の領域に関連づけられたアノードとを備える電気化学電池と、
前記第１の領域と前記第２の領域の間のイオンの流れを選択的に制御するセパレータと、
前記第１の領域と流れにより連通して二酸化炭素を前記第１の領域に供給する二酸化炭素源と、
前記第２の領域と流れにより連通して炭素系反応物を前記第２の領域に供給する炭素系反応物源と、
前記第２の領域と流れにより連通して再生利用反応物ＡＸ（ＸはＦ、Ｃｌ、Ｂｒ、Ｉ、及びこれらの混合物からからなる群より選ばれ、ＡはＨ、Ｌｉ、Ｎａ、Ｋ、Ｃｓ、及びこれらの混合物からなる群より選ばれる）を前記第２の領域に供給する再生利用反応物源と、
前記第１の生成物が前記第１の領域から回収可能であり、前記第２の生成物が前記第２の領域から回収可能であるように前記アノードと前記カソードの両端に電流を印加するエネルギー源とを備えるシステム。
【請求項２５】
前記炭素系反応物は、アルカン、ハロアルカン、アルケン、ハロアルケン、芳香族化合物、ハロゲン化芳香族化合物、複素芳香族化合物、またはハロゲン化複素芳香族化合物のうち少なくとも１種を含む、請求項２４に記載のシステム。
【請求項２６】
前記第１の領域から回収可能な第１の生成物は二酸化炭素還元生成物を含む、請求項２４に記載のシステム。
【請求項２７】
前記第２の領域から回収可能な第２の生成物はハロゲン化化合物を含む、請求項２４に記載のシステム。
【請求項２８】
前記セパレータは、６００℃未満の温度で前記第１の領域と前記第２の領域との間のイオンの流れを選択的に制御する、請求項２４に記載のシステム。
【請求項２９】
前記セパレータはイオン透過性障壁を含む、請求項２４に記載のシステム。
【請求項３０】
前記イオン透過性障壁は、固体重合体伝導体電解質材料、ペルフルオロ化スルホン酸膜、ナトリウム超イオン性導体セラミックスのうち少なくとも１種を含む、請求項２９に記載のシステム。
【発明の詳細な説明】
【技術分野】
【０００１】
[0001]本発明は一般に電気化学反応の分野に関し、より詳細にはアノードへの炭素系反応物供給により化学物質を電気化学的に共生成する方法及び／またはシステムに関する。
【背景技術】
【０００２】
[0002]発電、輸送、製造などの活動で化石燃料を燃焼すると、年間数十億トンもの二酸化炭素が生成される。１９７０年代からの研究によると、大気中の二酸化炭素濃度の増加が地球の気候変動、海のｐＨの変化、及びその他の潜在的な悪影響の原因であるかもしれないことが示されている。米国を含む世界中の国々が二酸化炭素の排出量を低減する方法を模索している。
【０００３】
[0003]二酸化炭素の排出量を低減する１つの反応機構は、二酸化炭素を燃料や工業的化学物質などの経済的価値のある材料に転換することである。再生可能資源からのエネルギーを用いて二酸化炭素を転換すれば、二酸化炭素排出量を低減し、再生可能エネルギーを後で使用ことができるように貯蔵可能な化学形態に変換することができる。
【発明の概要】
【０００４】
[0004]本発明は、カソードを有する電気化学電池第１の領域から第１の生成物を生成し、アノードを有する前記電気化学電池の第２の領域から第２の生成物を生成するシステム及び方法を含む。前記方法は、前記第１の領域を、二酸化炭素を含むカソード液と接触させる工程を含むことができる。前記方法は、前記第２の領域を、再生利用反応物と、アルカン、ハロアルカン、アルケン、ハロアルケン、芳香族化合物、ハロゲン化芳香族化合物、複素芳香族化合物またはハロゲン化複素芳香族化合物のうち少なくとも１種を含むアノード液と接触させる別の工程を含むことができる。さらに、前記方法は、前記アノードと前記カソードとの間に十分な電位を印加して、第１の領域から回収可能な第１の生成物と第２の領域から回収可能な第２の生成物を生成する工程を含むことができる。
【０００５】
[0005]自明ではあるが、上述の一般的な説明及び以下の詳細な説明は単に例示及び説明のためのものであり、必ずしも本発明を限定するものではない。添付の図面は、本明細書に組み込まれてその一部を構成するが、本発明の対象を図示するものである。これら説明と図面とを合わせて本発明の原理を説明する。
【図面の簡単な説明】
【０００６】
[0006]当業者は添付の図面を参照にすることで本発明の多くの利点について理解を深めることができる。
【図１】本発明の態様によるシステムのブロック図である。
【図２Ａ】本発明の他の態様によるシステムのブロック図である。
【図２Ｂ】本発明のさらなる態様によるシステムのブロック図である。
【図３Ａ】本発明のさらなる態様によるシステムのブロック図である。
【図３Ｂ】本発明のさらなる態様によるシステムのブロック図である。
【図４Ａ】本発明のさらなる態様によるシステムのブロック図である。
【図４Ｂ】本発明のさらなる態様によるシステムのブロック図である。
【図５】本発明の態様による生成物を電気化学的に共生成する方法の流れ図である。
【図６】本発明の他の態様による生成物を電気化学的に共生成する方法の流れ図である。
【発明を実施するための形態】
【０００７】
[0007]以下、添付の図面に示されている本発明の対象について詳細に説明する。
[0008]図１〜図６に、一般にアノードへの炭素系反応物供給により生成物を電気化学的に共生成するシステム及び方法が開示されている。この生成物の電気化学的共生成は、電気化学電池のカソード側で二酸化炭素の炭素数が１〜４の化学物質を含む炭素系化学物質への還元など第１の生成物を生成することと、電気化学電池のアノードで酸化炭素系生成物など第２の生成物を共生成することを含むことができるように意図されている。アノード液は、炭素系反応物と再生利用反応物を含み、この再生利用反応物は好ましくはハロゲン化物ＡＸである。ＡＸは、ＡがＨ、Ｌｉ、Ｎａ、Ｋ、Ｃｓ、Ｍｇ、Ｃａ、その他の金属、Ｒ４Ｐ＋、Ｒ４Ｎ＋（Ｒはそれぞれ独立してアルキルまたはアリールである）、または陽イオンであり、ＸがＦ、Ｃｌ、Ｂｒ、Ｉ、ＣｌＯ４−、ＰＦ６−、ＢＦ４−、または陰イオン、及びそれらの混合物である化合物であってもよい。
【０００８】
[0009]炭素系反応物は酸化可能な炭素化合物を含むことができる。炭素系反応物としては例えば、メタン、エタン、エチレン、ベンゼン、トルエン、キシレン、エチルベンゼン、プロパン、プロペン、ブタン、１−ブテン、２−ブテン、イソブタン、酢酸エチル、プロピオニトリル、プロピオン酸メチル、プロピオン酸エチル、その他のアルカン、置換されたアルカン、ハロアルカン、アルケン、置換されたアルケン、ハロアルケン、芳香族、ハロゲン化芳香族、複素芳香族、ハロゲン化複素芳香族化合物などが挙げられる。
【０００９】
[0010]当然のことだが、本発明のいずれかの態様を詳細に説明する前に、これらの態様は以下の説明において記載された、あるいは図面に示された構造または機能の詳細について応用範囲を限定するものではない。異なる態様を様々な方法で実施または実行することができる。また、本明細書で用いる表現及び専門用語は説明のためであって、限定的に解釈されるべきではない。本明細書を通して「備える」、「含む」、「有する」及びこれらの変化形などの用語は、一般にその用語の後に挙げられた項目、その均等物、及び追加の項目を包含することを意味する。さらに、特に断りがない場合、技術用語は慣例的な用法に従って用いることができる。さらに、同じ参照符号は同じ構成要素及びその均等物を説明するものであることを意図している。
【００１０】
[0011]図１に、本発明の態様によるシステム１００のブロック図を示す。システム（すなわち装置）１００は、一般に電気化学電池（容器、電解槽、または電池ともいう）１０２、炭素系反応物源１０４、二酸化炭素源１０６、反応器１０８、第１の生成物抽出器１１０、第１の生成物１１３、第２の生成物抽出器１１２、第２の生成物１１５、及びエネルギー源１１４を備える。
【００１１】
電気化学電池１０２は分割電池として実施することができる。この分割電池は分割電気化学電池及び／または分割光電気化学電池であってもよい。電気化学電池１０２は第１の領域１１６と第２の領域１１８を備えることができる。第１の領域１１６と第２の領域１１８は、小室、区画、または一般に閉空間、及び本発明の範囲及び意図を逸脱しない範囲のその類似物を言うことがある。第１の領域１１６はカソード１２２を備えることができる。第２の領域１１８はアノード１２４を備えることができる。第１の領域１１６は、カソード液を含むことができ、このカソード液に二酸化炭素が溶解している。第２の領域１１８はアノード液を含むことができ、このアノード液は炭素系反応物と再生利用反応物を含むことができる。ＡＸ源は、第２の領域１１８に動作可能に接続することができる。エネルギー源１１４はアノード１２４とカソード１２２の間に電位を生成することができる。この電位は直流電圧であってもよい。エネルギー源１１４は電気化学電池１０２に可変電圧または定電流を供給するように構成することができる。セパレータ１２０は第１の領域１１６と第２の領域１１８との間のイオンの流れを選択的に制御することができる。セパレータ１２０はイオン伝導性膜または隔膜材料を含んでいてもよい。
【００１２】
[0012]電気化学電池１０２は一般に、第１の領域１１６において二酸化炭素を第１の領域１１６から回収可能な第１の生成物１１３に還元するとともに、第２の領域１１８から回収可能な第２の生成物１１５を生成するように動作可能である。カソード１２２は二酸化炭素を、１種以上の化合物を含むことができる第１の生成物１１３に還元することができる。第１の生成物抽出器１１０により第１の領域から回収可能な第１の生成物１１３としては、例えば、ＣＯ、ギ酸、ホルムアルデヒド、メタノール、メタン、シュウ酸塩、シュウ酸、グリオキシル酸、グリオキシル酸塩、グリコール酸、グリコール酸塩、グリオキサール、グリコールアルデヒド、エチレングリコール、酢酸、酢酸塩、アセトアルデヒド、エタノール、エタン、エチレン、乳酸、乳酸塩、プロピオン酸、プロピオン酸塩、アセトン、２−プロパノール、１−プロパノール、１，２−プロピレングリコール、プロパン、プロピレン、１−ブタノール、２−ブタノン、２−ブタノール、ブタン、ブタン、カルボン酸、カルボン酸塩、ケトン、アルデヒド、アルコール等が挙げられる。
【００１３】
[0013]二酸化炭素源１０６は電気化学電池１０２の第１の領域１１６に二酸化炭素を供給することができる。いくつかの態様では、二酸化炭素はカソード１２２を含む領域１１６に直接導入される。二酸化炭素源は複数の気体源を含むことができるようになっており、二酸化炭素はこれら複数の気体から濾過されたものである。
【００１４】
[0014]第１の生成物抽出器１１０は有機生成物及び／または無機生成物抽出器として実施することができる。第１の生成物抽出器１１０は一般に、第１の領域１１６から第１の生成物１１３を抽出（分離）するように動作可能である。続く貯蔵及び／または他の装置及び／または過程による消費のために、抽出された第１の生成物１１３はシステム１００の出口から供給することができる。
【００１５】
[0015]第２の領域１１８で起こる反応のアノード側は、気相、液相、または溶液相反応物であってもよい炭素系反応物と第２の領域１１８に供給された再生利用反応物とを含むことができる。第２の領域１１８から回収可能な第２の生成物１１５は、炭素系反応物の有機化学物質をその他の有機化学生成物に酸化するなど、様々な酸化から派生させることができる。酸化は、アノードでのエタンのエタノールへの転換など、直接のものであってもよい。酸化は、アノードで生成されたハロゲンを用いたエタンのエタノールへの転換など、間接的なものであってもよい。再生利用反応物は、他の反応器１０８を介して第２の生成物１１５から回収されたハロゲン化水素またはハロゲン化塩を含むことができる。例えば、この再生利用反応物はＡＸ（ＡはＨ、Ｌｉ、Ｎａ、Ｋ、Ｃｓ、Ｍｇ、Ｃａ、その他の金属、Ｒ４Ｐ＋、Ｒ４Ｎ＋（Ｒはそれぞれ独立してアルキルまたはアリールである）、または陽イオンであり、ＸはＦ、Ｃｌ、Ｂｒ、Ｉ、または陰イオン、及びこれらの混合物である）を含むことができる。以下に、例を示す。
【００１６】
【表１】
2015533947.tif 000003
【００１７】
[0016]第２の生成物抽出器１１２は第２の領域１１８から第２の生成物１１５を抽出することができる。続く貯蔵及び／または他の装置及び／または過程による消費のために、抽出された第２の生成物１１５をシステム１００の出口から供給することができる。第１の生成物抽出器１１０及び／または第２の生成物抽出器１１２は電気化学電池１０２と共に実施することができる。あるいは電気化学電池１０２から離れたところに設けることができるように意図されている。また、第１の生成物抽出器１１０及び／または第２の生成物抽出器１１２は、各種反応機構で実施されて、本発明の範囲及び意図を逸脱することなく、留分蒸留などの所望の分離方法を提供することができるように意図されている。
【００１８】
[0017]さらに、第２の生成物１１５を反応器１０８など他の反応器に供給することができる。再生利用反応物１１７は電気化学電池１０２の第２の領域１１８から回収された第２の生成物１１５の反応副生物である。反応器１０８での反応副生物として反応器１０８によって生成された第３の生成物１１９は、アルコール、アルケン、またはその他の各種化合物を含むことができる。再生利用反応物１１７を、電気化学電池１０２の第２の領域１１８への入力供給物として第２の領域１１８に戻すことができる。本発明の範囲及び意図を逸脱することなく、さらなる再生利用反応物源が、さらに電気化学電池１０２の第２の領域１１８への入力供給物として供給されることが意図されている。
【００１９】
[0018]第１の生成物１１３と第２の生成物１１５の共生成により、第１の生成物１１３及び第２の生成物１１５のそれぞれを生成するための全体的なエネルギー要件を５０％以上低減することができる。また、電気化学電池１０２は高い選択性により２つ以上の生成物を同時に生成することができる。
【００２０】
[0019]好ましい本発明の一態様は、カソードで二酸化炭素還元生成物などの有機化学物質を生成することと、同時に炭素系反応物の間接的酸化にアノードへのハロゲン化水素またはハロゲン化塩供給を用いることを含むことができる。図２Ａに、ハロゲン化化合物２１２により二酸化炭素還元生成物２１０とアルコール２１８を共生成するシステム２００を示す。ＡＸ２２０（ＡはＨ、Ｌｉ、Ｎａ、Ｋ、Ｃｓ、Ｍｇ、Ｃａ、その他の金属、Ｒ４Ｐ＋、Ｒ４Ｎ＋（Ｒはそれぞれ独立してアルキルまたはアリールである）、または陽イオンであり、ＸはＦ、Ｃｌ、Ｂｒ、Ｉ、または陰イオン、及びそれらの混合物である）（以後、一般にＡＸという）の酸化によってプロトンと電子が生成され、これらを用いて二酸化炭素を還元する。Ｂｒ２など第２の領域１１８での酸化反応から得られたハロゲンを、炭素系反応物源１０４により供給されたエタンやプロパンなどの炭素系反応物と反応させて、選択的にハロゲン化化合物２１２を生成することができる。ブロモエタンなどのハロゲン化化合物２１２を反応器２１４に供給して水源２１６からの水と反応させ、エタノールなどのアルコール２１８を生成することができる。図ではアルコール２１８が示されているが、アルケンなど様々な他の生成物を、反応器２１４を介して生成することができる。一態様では、炭素系反応物源１０４により供給されたアルカンのハロゲン化と続くアルコール２１８への転換の副生物は、臭化水素などの再生利用反応物２２０である。
【００２１】
[0020]ＡＸ２２０を純粋な無水ガスまたは液相として電気化学電池１０２の第２の領域１１８に戻すことができる。エネルギー要件を最小にするためには一般に気相が好ましい場合がある。これにより臭素または類似のハロゲンを再利用しつつ、第１の領域１１６でＣＯ２から二酸化炭素還元生成物２１０を生成する。よって、このハロゲンを用いてアルカン、アルケン、芳香族化合物などの炭素系反応物を酸化して所望の生成物を生成し、かつＣＯ２を還元するために炭素系反応物からの水素イオンすなわちプロトンを第１の領域に送る。この炭素系反応物は、ＣＯ２を還元するための一次水素源として作用することができる。本発明の範囲及び意図を逸脱することなく、電気化学電池１０２の第２の領域１１８の入力供給物として、再生利用反応物ＡＸ２２０に加えてＡＸ２２２源をさらに供給することができるようになっている。
【００２２】
[0021]図２のシステム２００は、様々なアルカン、アルケン及び芳香族化合物を含む炭素系反応物を用いて、所望のとおり、また表１に例示したような様々な生成物（第１の生成物及び第２の生成物）を生成することができる。さらに、ハロゲン化化合物２１２を、ペルハロ炭素、塩化ビニル、ジクロロエタン、塩化アリル、クロロフェノール、ブロモベンゼン、臭化ビニル、フッ化ビニル、フッ化ビニリデン、テトラフルオロエチレン、ヘキサフルオロプロピレン、ジフルオロメタン、またはペンタフルオロエタンなど、様々な生成物に転換することができる。さらに、本発明の範囲及び意図を逸脱することなく、その他の生成物を電気化学電池のアノード及びカソードにより共生成することができることを意図している。
【００２３】
[0022]図２Ｂに、本発明のさらなる態様によるシステム２００のブロック図を示す。図２Ａに示した態様と同様に、図２Ｂは本発明のさらなる態様によるシステムのブロック図であり、炭素系反応物源はエタンなどのアルカンを供給することができる。また第２の領域１１８で生成されたハロゲン化化合物はブロモエタン２１３であってもよい。二酸化炭素還元生成物は酢酸２１１であってもよい。ブロモエタン２１３を反応器２１４に供給して、水源２１６からの水と反応させてＨＢｒ２２１とエタノール２１９を生成することができる。ＨＢｒ２２１は、入力供給物として第１の領域１１８に戻される。本発明の一態様で、二酸化炭素還元生成物が酢酸２１１でエタンが炭素系反応物源１０４により供給される場合、生成物のモル比は１（酢酸）：４（エタノール）であってもよい。というのは、ＣＯ２からの酢酸の生成は８個の電子が必要な過程であり、エタンからのエタノールの生成は２個の電子が必要な過程であるからである。質量比は１：３であってもよい。
【００２４】
[0023]第１の領域１１６で起こる反応はカソード液中で起こることができるようになっている。カソード液は水、メタノール、アセトニトリル、炭酸プロピレン、イオン性液体、またはその他のカソード液を含むことができる。第２の領域１１８で起こる反応は、例えばメタンやハロゲン化水素などの気相反応物１１８である場合、気相中で起こることができる。第２の領域１１８での反応はまた、溶液中のハロゲン化物の場合など、液相中でも起こることができる。
【００２５】
[0024]他の態様では、第２の領域１１８での反応は、ＨＢｒガスを含むアノード液に気相ベンゼンを導入することを含むことができる。ＨＢｒは臭素に転換されて、ベンゼンと反応してブロモベンゼンを生成する。アルミニウムまたは鉄系触媒などの触媒を用いて反応を促進することができる。触媒は、特に大表面積炭素系材料の場合であれば、アノード構造に組み込むことができる。より好ましくは、第２の領域１１８で気体ＨＢｒ、液体ＨＢｒ、またはＮａＢｒから臭素を生成し、例えば炭素または無機支持体に担持された臭化アルミニウムまたは臭化鉄触媒を含む反応器内で液体または気体のベンゼンと臭素を反応させる。
【００２６】
[0025]次に、圧力下でのＮａＯＨによるクロロベンゼンの加水分解と同様に、水酸化ナトリウム溶液との反応によりブロモベンゼンをフェノールに転換することができる。また、ブロモベンゼンを硝酸と反応させてｐ−ニトロブロモベンゼンを形成し、これをいくつかの他の化学処理工程の後、ｐ−メトキシフェノールに転換することができる。ブロモベンゼンを開始材料として用いてその他の化学物質を生成することができる。
【００２７】
[0026]臭素と表１に示した有機物質との他の反応の多くはまた、所望の臭素化率を得るのに触媒またはラジカル開始剤を必要とする場合がある。これらの触媒をアノード構造または第２の領域１１８に設けることができる。そこで臭素と有機物質を反応させて臭素化中間生成物化合物を形成することができる。例えば、触媒は第２の領域１１８内の溶液相に溶解性のある触媒であってもよい。
【００２８】
[0027]また、紫外（ultraviolet, ＵＶ）光が臭素化反応を活性化することが示されている。この反応では、臭素がラジカルを形成し、連鎖反応により有機物質を臭素化する。石英ガラスの導光板を用いて電気化学電池１０２そのものにＵＶ光を照射し、送り出しラインと臭素と有機物質を反応させる化学反応器にガラス管を用いる設計が可能である。異なる波長の光、発光ダイオード（light emitting diode, ＬＥＤ）または異なる光の波長を有するレーザーを用いて反応をよりよく制御することができる。
【００２９】
[0028]図３Ａ、３Ｂ、４Ａ、及び４Ｂに、本発明のさらなる態様によるシステム３００及び４００を示す。システム３００及び４００は図１及び図２に示したシステム１００、２００のさらなる態様であり、第１の生成物と第２の生成物を共生成するものである。
【００３０】
[0029]具体的には、図３Ａにおいて、電気化学電池１０２の第１の領域１１６は、第１の生成物Ｈ２３１０を生成することができる。Ｈ２３１０は、逆水性ガス転換反応を行うことができる反応器３３０で二酸化炭素３３２と結合する。反応器３３０によって行われる逆水性ガス転換反応は、水３３４と一酸化炭素３３６を生成することができる。Ｈ２３１０と二酸化炭素３３６を反応器３３８で結合させることができる。反応器３３８は、電気化学電池１０２の第１の領域１１６からのＨ２３１０を用いてフィッシャー・トロプシュ型反応などの反応を行って一酸化炭素を生成物３４０に還元することができる。生成物３４０は、メタン、メタノール、炭化水素、グリコール、オレフィンなどを含むことができる。水３０６は、ハロゲン化水素を含むことができるが、第１の領域１１６によって生成された別の生成物であり、第１の領域１１６への入力供給物として再生利用することができる。反応器３３８はまた、より低い温度と圧力でＣＯと水素との反応を促進することができる、無機支持体構造に支持された触媒として鉄、コバルト、ルテニウムなどの遷移金属や他の遷移金属酸化物を含むことができる。
【００３１】
[0030]第２の領域１１８は、アルカン３０４などの炭素系反応物とＨＢｒなどのハロゲン化水素再生利用反応物３２０からブロモエタンなどのハロゲン化化合物３１２を共生成することができる。ハロゲン化化合物３１２を単離することができる、あるいは脱ハロゲン化水素反応器３１４に供給してアルケン３１８（例えばエチレン）と、ハロゲン化水素再生利用反応物３２０（例えばＨＢｒ）などの副生物を生成することができる。ハロゲン化水素再生利用反応物３２０は第２の領域１１８への入力供給物として戻される。アルカン３０４は各種のアルカン、アルケン、または芳香族化合物など他の炭素系反応物であってもよく、ハロゲン化化合物３１２は、本発明の範囲または意図から逸脱することなく脱ハロゲン化水素反応器３１４に供給して各種のアルケン、アルコール、グリコール、またはオレフィンを生成することができる、いずれのハロゲン化化合物をも指すことが意図されている。図３Ｂでは、第２の領域１１８はエタン３０５などの炭素系反応物からブロモエタン３１３を共生成することができるようになっている。ブロモエタン３１３を単離することができる、あるいは脱ハロゲン化水素反応器３１４に供給してエチレン３１９やＨＢｒ３２１などの生成物を生成することができる。ＨＢｒ３２１は第２の領域１１８への入力供給物として戻される。
【００３２】
[0031]図４Ａでは、電気化学電池１０２の第１の領域１１６は、第１の生成物である一酸化炭素４１０を生成することができる。一酸化炭素４１０は、水性ガス転換反応を行うことができる反応器４３０で水４３２と結合する。反応器４３０によって行われるこの水性ガス転換反応は、二酸化炭素４３４とＨ２４３６を生成することができる。二酸化炭素４１０とＨ２４３６は反応器４３８で結合することができる。反応器４３８は、フィッシャー・トロプシュ型反応などの反応を行って一酸化炭素を生成物４４０に還元することができる。生成物４４０は、水性ガス転換反応からのＨ２４３６を用いてメタン、メタノール、炭化水素、グリコール、オレフィンを含むことができる。二酸化炭素４３４は反応器４３０の水性ガス転換反応の副生物であってもよく、第１の領域１１６への入力供給物として再生利用することができる。水４０６はハロゲン化水素を含むことができるが、第１の領域１１６によって生成された別の生成物であって、第１の領域１１６への他の入力供給物として再生利用することができる。反応器４３８はまた、より低い温度と圧力でＣＯと水素との反応を促進することができる、無機支持体構造に支持された触媒として鉄、銅などの遷移金属や、他の遷移金属酸化物を含むことができる。
【００３３】
[0032]電気化学電池１０２の第２の領域１１８は、アルカン４０４などの炭素系反応物とＨＢｒなどのハロゲン化水素再生利用反応物４２０からブロモエタンなどのハロゲン化化合物４１２を共生成することができる。ハロゲン化化合物４１２を単離することができる、あるいは脱ハロゲン化水素反応器４１４に供給してエチレンなどのアルケン４１８とＨＢｒなどのハロゲン化水素再生利用反応物４２０を生成することができる。ハロゲン化水素再生利用反応物４２０は第２の領域１１８への入力供給物として戻される。アルカン４０４などの炭素系反応物はいずれの種類のアルカン、アルケン、または芳香族化合物であってもよく、ハロゲン化化合物は、本発明の範囲または意図から逸脱することなく脱ハロゲン化水素反応器４１４に供給して各種のアルコール、グリコール、またはオレフィンを生成することができる、いずれのハロゲン化化合物をも指すことが意図されている。
【００３４】
[0033]図４Ｂでは、第２の領域１１８はエタン４０５などの炭素系反応物からブロモエタン４１３を共生成することができるようになっている。ブロモエタン４１３を単離することができる、あるいは脱ハロゲン化水素反応器４１４に供給してエチレン４１９やＨＢｒ４２１などの生成物を生成することができる。ＨＢｒ４２１は第２の領域１１８への入力供給物として戻される。
【００３５】
[0034]図５に、本発明の態様による生成物を電気化学的に共生成する方法５００の流れ図を示す。この方法５００は図１及び図２に示したシステム１００及びシステム２００により実行することができることを意図している。方法５００は、カソードを有する電気化学電池の第１の領域から第１の生成物を生成し、アノードを有する前記電気化学電池の第２の領域から第２の生成物を生成することを含むことができる。
【００３６】
[0035]生成物を化学電気的に共生成する方法５００は、電気化学電池の第１の領域を、二酸化炭素を含むカソード液に接触させる工程を含むことができる（５１０）。次いで、方法５００は、電気化学電池の第２の領域を、再生利用反応物と、アルカン、ハロアルカン、アルケン、ハロアルケン、芳香族化合物、ハロゲン化芳香族化合物、複素芳香族化合物、またはハロゲン化複素芳香族化合物のうち少なくとも１種を含むアノード液に接触させることを含むことができる（５２０）。方法５００はさらに、アノードとカソードの間に十分な電位を印加して、第１の領域から回収可能な第１の生成物と第２の領域から回収可能な第２の生成物を生成することを含むことができる（５３０）。第１の領域で生成された第１の生成物は第１の領域から回収可能であり、第２の領域で生成された第２の生成物は第２の領域から回収可能であるという利点がある。
【００３７】
[0036]図６に、本発明の他の態様による生成物を化学電気的に共生成する方法６００の流れ図を示す。方法６００は図１及び図２に示したシステム１００及びシステム２００により実行することができることを意図している。方法６００は、カソードを有する電気化学電池の第１の領域から第１の生成物を生成し、アノードを有する前記電気化学電池の第２の領域から第２の生成物を生成する工程を含むことができる。
【００３８】
[0037]方法６００は、この電気化学電池の第１の領域で二酸化炭素供給を受ける工程を含むことができる（６１０）。方法６００はさらに、第１の領域を、二酸化炭素を含むカソード液に接触させることを含むことができる（６２０）。次いで、方法６００は、電気化学電池の第２の領域で、再生利用反応物ＡＸ（ＸはＦ、Ｃｌ、Ｂｒ、Ｉ、及びこれらの混合物からからなる群より選ばれ、ＡはＨ、Ｌｉ、Ｎａ、Ｋ、Ｃｓ、及びこれらの混合物からなる群より選ばれる）と、少なくとも１種のアルカンの供給を受けることを含むことができる（６３０）。方法６００はさらに、第２の領域を、上記の再生利用反応物と少なくとも１種のアルカンを含むアノード液に接触させることを含むことができる（６４０）。方法６００はさらに、アノードとカソードの間に十分な電位を印加して、第１の領域から回収可能な第１の生成物と第２の領域から回収可能な第２の生成物を生成することを含むことができる（６５０）。
【００３９】
[0038]供給物の受け取りは連続部分、近連続部分、またはバッチ部分として生成物の供給を受けるための様々な反応機構を含むことができることが意図されている。
[0039]電気化学電池１０２の構造及び動作を調整して所望の結果を得ることができるようになっている。例えば、電気化学電池１０２をより高い圧力（大気圧より高い）で動作させると、電流効率が向上し、より高い電流密度で電池を動作させることができる。
【００４０】
[0040]また、カソード１２２とアノード１２４は、３０％から９８％の範囲の空隙容量を有する大表面積電極構造を含むことができる。電極の空隙容量の百分率は、電極の合計体積空間における空の空間の百分率を指すことができる。空隙容量が大きい電極を用いる利点は、そのような構造を流れる液体にかかる圧力の低下が小さくなることである。電極基板構造の比表面積は２ｃｍ２／ｃｍ３から５００ｃｍ２／ｃｍ３以上であってもよい。電極の比表面積は、基板構造の表面積を電極全体の合計物理的体積で除して得たものである。表面積はまた、電極基板の合計面積として定義することもできることが意図されている。表面積は、電流分配／伝導裏板の投影された幾何学的面積の、好ましくは２倍から１０００倍以上の範囲である。電極構造の実際の合計活性表面積は、物理的電極構造に配置された電極触媒の特性の作用であり、物理的電極基板構造の表面積の２倍から１０００倍であってもよい。
【００４１】
[0041]カソード１２２は、銅、ステンレス鋼、遷移金属及びこれらの合金や酸化物、炭素、ケイ素、さらにはこれら材料を導電性金属または半導体材料の層で被覆したものなど、多くの表面積の大きい材料から選ぶことができる。カソード１２２の基板構造は、金属、炭素、または重合体などその他の導電性の材料からなる繊維状、網状、または焼結粉末材料の形態であってもよい。これら材料は、膜のカソード側に一体化された非常に薄いプラスチック製のスクリーンであってもよく、膜１２０が大表面積カソード構造に直接触れることを防止する。この大表面積カソード構造は、大表面積カソードと同じ表面組成を有する材料から形成することができるカソード電流分配裏板に機械的に圧着することができる。
【００４２】
[0042]また、カソード１２２は、Ａｌ、Ａｕ、Ａｇ、Ｂｉ、Ｃ、Ｃｄ、Ｃｏ、Ｃｒ、Ｃｕ、Ｃｕ合金（例えば、黄銅や青銅）、Ｇａ、Ｈｇ、Ｉｎ、Ｍｏ、Ｎｂ、Ｎｉ、ＮｉＣｏ２Ｏ４、Ｎｉ合金（例えば、Ｎｉ６２５、ＮｉＨＸ）、Ｎｉ−Ｆｅ合金、Ｐｂ、Ｐｄ合金（例えば、ＰｄＡｇ）、Ｐｔ、Ｐｔ合金（例えば、ＰｔＲｈ）、Ｒｈ、Ｓｎ、Ｓｎ合金（例えば、ＳｎＡｇ、ＳｎＰｂ、ＳｎＳｂ）、Ｔｉ、Ｖ、Ｗ、Ｚｎ、ステンレス鋼（ＳＳ）（例えば、ＳＳ２２０５、ＳＳ３０４、ＳＳ３１６、ＳＳ３２１）、オーステナイト鋼、フェライト鋼、二相鋼、マルテンサイト鋼、ニクロム（例えば、ＮｉＣｒ６０：１６（Ｆｅを含む））、エルジロイ（例えば、Ｃｏ−Ｎｉ−Ｃｒ）、縮退ドープｐ−Ｓｉ、縮退ドープｐ−Ｓｉ：Ａｓ、縮退ドープｐ−Ｓｉ：Ｂ、縮退ドープｎ−Ｓｉ、縮退ドープｎ−Ｓｉ：Ａｓ、縮退ドープｎ−Ｓｉ：Ｂなどからなる好適な導電性電極であってもよい。これら金属とその合金はまた、各種金属基板に支持された触媒皮膜としても用いることができる。その他の導電性電極は、特定の応用基準を満たすように実施することができる。光電気化学還元の場合、カソード１２２は、ｐ−ＧａＡｓ、ｐ−ＧａＰ、ｐ−ＩｎＮ、ｐ−ＩｎＰ、ｐ−ＣｄＴｅ、ｐ−ＧａＩｎＰ２、ｐ−Ｓｉなどのｐ−型半導体電極、またはｎ−ＧａＡｓ、ｎ−ＧａＰ、ｎ−ＩｎＮ、ｎ−ＩｎＰ、ｎ−ＣｄＴｅ、ｎ−ＧａＩｎＰ２、ｎ−Ｓｉなどのｎ−型半導体であってもよい。その他の半導体電極は、特定用途の基準を満たすように実施することができ、例えばＣｏＳ、ＭｏＳ２、ＴｉＢ、ＷＳ２、ＳｎＳ、Ａｇ２Ｓ、ＣｏＰ２、Ｆｅ３Ｐ、Ｍｎ３Ｐ２、ＭｏＰ、Ｎｉ２Ｓｉ、ＭｏＳｉ２、ＷＳｉ２、ＣｏＳｉ２、Ｔｉ４Ｏ７、ＳｎＯ２、ＧａＡｓ、ＧａＳｂ、Ｇｅ、ＣｄＳｅなどが挙げられるが、これらに限定されない。
【００４３】
[0043]カソード液のｐＨは１から１２の範囲であり、好ましくはｐＨ４から１０の範囲を含むことができる。選択した動作ｐＨは電気化学電池１０２の動作に用いられる任意の触媒の作用であってもよい。好ましくは、カソード液及び触媒は電気化学電池１０２の腐食を防止するように選択することができる。カソード液は同質の触媒を含むことができる。同質の触媒は芳香族複素環アミンと定義される。その例として無置換及び置換されたピリジン及びイミダゾールが挙げられるが、これらに限定されない。置換されたピリジン及びイミダゾールは、一置換及び二置換ピリジン及びイミダゾールを含むことができるが、これらに限定されない。例えば、好適な触媒としては、２−メチルピリジン、４−ｔｅｒｔ−ブチルピリジン、２，６−ジメチルピリジン（２，６−ルチジン）などの直鎖状または分岐状低級アルキル（例えば、Ｃ１−Ｃ１０）一置換及び二置換化合物、４，４’−ビピリジンなどのビピリジン、４−ジメチルアミノピリジンなどのアミノ置換ピリジン、４−ヒドロキシ−ピリジンなどのヒドロキシル置換ピリジン、置換または無置換のキノリンまたはイソキノリンなどが挙げられる。これら触媒はまた、ピラジン、ピリダジン、ピリミジンなど置換または無置換の二窒素複素環アミンを好適に含むことができる。その他の触媒としては、一般に、アゾール、イミダゾール、インドール、オキサゾール、チアゾール、及びアデニン、プテリン、プテリジン、ベンゾイミダゾール、フェナントロリンなどの置換種及び錯体複素環アミンなどが挙げられる。
【００４４】
[0044]カソード液は電解質を含むことができる。カソード液電解質としては、アルカリ金属重炭酸塩、炭酸塩、硫酸塩、リン酸塩、ホウ酸塩、水酸化物などが挙げられる。この電解質は、Ｎａ２ＳＯ４、ＫＣｌ、ＮａＮＯ３、ＮａＣｌ、ＮａＦ、ＮａＣｌＯ４、ＫＣｌＯ４、Ｋ２ＳｉＯ３、ＣａＣｌ２、グアニジン酸陽イオン、Ｈ陽イオン、アルカリ金属陽イオン、アンモニウム陽イオン、アルキルアンモニウム陽イオン、四アルキルアンモニウム陽イオン、ハリド陰イオン、アルキルアミン、ホウ酸塩、炭酸塩、グアニジン酸誘導体、亜硝酸塩、硝酸塩、リン酸塩、ポリリン酸塩、過塩素酸塩、ケイ素酸塩、硫酸塩、及び水酸化物を１種以上含むことができる。一態様では、ＮａＢｒまたはＫＢｒなどの臭化塩が好ましい場合がある。
【００４５】
[0045]カソード液はさらに、水性または非水性溶媒を含むことができる。水性溶媒は５％超の水を含むことができる。非水性溶媒は５％程度の水を含むことができる。溶媒は、水、プロトン性溶媒、非プロトン性極性溶媒のうち１種以上を含むことができる。代表的な溶媒としては、メタノール、エタノール、アセトニトリル、炭酸プロピレン、炭酸エチレン、炭酸ジメチル、炭酸ジエチル、ジメチルスルホキシド、ジメチルホルムアミド、アセトニトリル、アセトン、テトラヒドロフラン、Ｎ，Ｎ−ジメチルアセトアミド、ジメトキシエタン、ジエチレングリコールジメチルエステル、ブチロニトリル、１，２−ジフルオロベンゼン、γ−ブチロラクトン、Ｎ−メチル−２−ピロリドン、スルホラン、１，４−ジオキサン、ニトロベンゼン、ニトロメタン、無水酢酸、イオン性液、及びこれらの混合物などが挙げられる。
【００４６】
[0046]一態様では、カソード液／アノード液の流量は、カソード液／アノード液の断面の面積の流量で２ｇｐｍ／ｆｔ２から３，０００ｇｐｍ／ｆｔ２以上（０．００７６〜１１．３６ｍ３／ｍ２）の範囲を含むことができる。流速は０．００２〜２０ｆｔ／ｓｅｃ（０．０００６〜６．１ｍ／ｓｅｃ）の範囲であってもよい。より高い動作圧力で電気化学電池のカソード液を動作させると、より多くの二酸化炭素を水溶液中に溶解させることができる。典型的には、積層構造の電気化学電池で約２０〜３０ｐｓｉｇまでの圧力で動作することができるが、変更すれば１００ｐｓｉｇまで動作することができる。この電気化学電池は、同じ圧力範囲でアノード液を動作させて、セパレータ１２０すなわち２つの領域を分けている膜にかかる圧力の差を最小にすることができる。液体ＣＯ２及び超臨界ＣＯ２動作範囲である、約６０〜１００気圧以上の高い動作圧力で電気化学装置を動作させるには特別な電気化学設計が必要な場合がある。
【００４７】
[0047]他の態様では、加圧された流れが電気化学電池のカソード液領域に注入されて水溶液に溶解するＣＯ２量を増加させて転換歩留まりを向上させることができるように、背圧による流量制限や、ＣＯ２を注入するポンプを用いてカソード液リサイクル流れの一部に個別に圧力をかけることができる。また、カソード液リサイクル流れ中の様々な手段により二酸化炭素の微細な気泡を生成して、溶液中の二酸化炭素の溶解度を最大にすることができる。
【００４８】
[0048]カソード液の温度は−１０〜９５℃、より好ましくは５〜６０℃の範囲であってもよい。これより低い温度は、用いるカソード液及びその凝固点により限定される。一般に、温度が低いほど、カソード液の水溶液相へのＣＯ２の溶解度が高くなる。溶解度が高いと、より高い変換効率及び電流効率を得る助けとなる。しかしながら電気化学電池の動作電圧が高くなる場合があるという欠点がある。よって、最小の動作コストで化学物質を生成するように最適化を行う必要がある。また、カソード液は冷却が必要な場合がある。よって、外部熱交換器を用いて、カソード液の一部または全部を熱交換器に流し、冷却水を用いて熱を取り除き、カソード液温度を調整することができる。
【００４９】
[0049]アノード液の動作温度は、カソード液と同じ範囲であってもよく、０℃〜９５℃の範囲であってもよい。また、アノード液は冷却が必要な場合がある。外部熱交換器を用いて、アノード液の一部または全部を熱交換器に流して、冷却水を用いて熱を取り除き、アノード液温度を調整することができる。
【００５０】
[0050]電気化学電池は、様々な設計のものを含むことができる。これらの設計は、電極と膜の間を有限またはゼロ間隔で仕切る無間隔設計や、様々な大表面積カソード材料を用いてカソード液電解質を再循環させる流水式設計を含むことができる。電気化学電池は、様々な大表面積カソード材料を有する、冠水型並流及び向流充填細流ベッド設計を含むことができる。また、電気化学電池には双極型積層電池設計や高圧型電池設計も採用することができる。
【００５１】
[0051]アノード電極はカソード電極と同じでもよく、異なっていてもよい。アノード１２４は、アノード基板構造の表面に塗布された電極触媒皮膜を含むことができる。アノード液はカソード液と同じでもよく、異なっていてもよい。アノード液電解質はカソード液電解質と同じでもよく、異なっていてもよい。アノード液は溶媒を含むことができる。アノード液溶媒はカソード液溶媒と同じでもよく、異なっていてもよい。例えば、ＨＢｒ、酸アノード液、水を酸化して酸素を生成する場合、好ましい電極触媒皮膜は、チタン、タンタル、ジルコニウム、ニオブなどのバルブ金属基板に設けた金属及び酸化物として、ルテニウム酸化物やイリジウム酸化物などの貴金属酸化物や、白金及び金、それらの組み合わせを含むことができる。臭素及びヨウ素アノード化学の場合、アノードとしては炭素と黒鉛が特に好適に用いられる。高分子結合炭素材料もまた用いることができる。アルカリ性電解質または水酸化物電解質を含むその他のアノード液の場合、アノードは炭素、酸化コバルト、ステンレス鋼、遷移金属、及びこれらの合金や組み合わせを含むことができる。用いることができる大表面積アノード構造は、アノード表面での反応の促進を支援する。大表面積アノード基板材料は、繊維、焼結粉末、焼結スクリーンなどからなる網状であってもよく、双極型電気化学電池組立体には一般に用いられる電流分配裏板に焼結、溶接、または機械的に接続することができる。また、大表面積網状アノード構造はまた、アノード表面構造の電極触媒活性表面やその近傍にさらに触媒を塗布した領域を含むことができ、これによって、臭素とアノード液に導入される炭素系反応物との反応など、アノード表面から離れたバルク溶液中で起こることができる反応を高め、促進する。アノード構造は勾配をつけてもよく、それによって密度を垂直方向または水平方向に変化させてアノード構造からガスを逃しやすくすることができる。この勾配は、臭素と炭素系反応物との反応のためにハロゲン化鉄、ハロゲン化亜鉛、ハロゲン化アルミニウム、ハロゲン化コバルトなどの金属ハロゲン化物触媒または金属酸化物触媒を含むことができるアノード構造中で混合された材料の粒子の分布を有していてもよい。アルカリ性電解質または水酸化物電解質を含む他のアノード液の場合、アノードは炭素、酸化コバルト、ステンレス鋼、及びこれらの合金や組み合わせを含むことができる。
【００５２】
[0052]第１の領域１１８と第２の領域１１８の間に設けられたセパレータ１２０は膜ともいい、陽イオン交換膜を含むことができる。陰イオンに対する高い排除効率を有する陽イオン交換膜が好ましい。そのような陽イオン交換膜としては、例えば、デュポン社製ナフィオン（登録商標）ブランドの非強化タイプＮ１１７及びＮ１２０シリーズ、より好ましくはＰＴＦＥ繊維強化タイプＮ３２４及びＮ４２４、フレミオン（登録商標）など供給業者の商品名で日本の会社により製造された類似の関連膜などのペルフルオロ化スルホン酸イオン交換膜が挙げられる。塩素アルカリ工業で用いられる、その他の多層ペルフルオロ化イオン交換膜は、カルボン酸膜層に接着されたスルホン酸膜層という二層構造を有していてもよい。このような膜により、アノード液とカソード液のｐＨを約２以上で効率的に動作させることができる。これらの膜は、高い陰イオン排除効率を有することができる。これらは、デュポン社からＮ９０２０９、Ｎ９６６、Ｎ９８２などのＮ９００シリーズ、Ｎ２０１０、Ｎ２０２０、Ｎ２０３０などの２０００シリーズ、及びこれらのタイプ及び下位タイプのすべてなど、ナフィオン（登録商標）として販売されている。陰イオンの排除がそれほど必要でなければ、市販されているもののうち、シブロン社によって販売されている商品名イオナック（登録商標）、旭硝子（株）から販売されている商品名セレミオン（登録商標）、徳山曹達（株）から販売されているものなど、様々な陽イオン交換材料から作製した炭化水素膜を用いることができる。セラミック膜もまた用いることができ、ＮＡＳＩＣＯＮ（Na Super Ionic CONductor、ナトリウム超イオン性導体）という一般名で呼ばれるものを含む。ＮＡＳＩＣＯＮは様々な化学物質に対して広いｐＨ範囲に渡って化学的に安定しており、選択的にナトリウムイオンを輸送する。その組成はＮａ１＋ｘＺｒ２ＳｉｘＰ３−ｘＯ１２である。また、酸化チタン、酸化ジルコニウム、酸化イットリウム、及びβ酸化アルミニウムを担持した他のセラミック導電性膜も含まれる。代替膜としては、ポリホスファゼン膜、スルホン酸化ポリホスファゼン膜など異なる構造の主鎖を有する膜や、クラウンエーテル膜を用いることができる。好ましくは、膜すなわちセパレータはアノード液及びカソード液に対して化学的に耐性があり、６００℃未満、より好ましくは５００℃未満の温度で動作させる。
【００５３】
[0053]ＨＢｒの臭素への酸化など、アノード反応からアノード液部で形成される反応物の生成率は、電気化学電池１０２に印加する電流に比例するようになっている。よって、例えばエタンなど炭素系反応物のアノード液領域１１８への入力率すなわち供給率は、生成された反応物に比例することになる。Ｂｒ２など生成されたアノード反応物に対する炭素系反応物のモル比は、１００：１〜１：１０、より好ましくは５０：１〜１：５の範囲であってもよい。アノード液生成物出力がこの範囲であれば、出力流れは第２の生成物抽出器１１２への生成物出力中に遊離臭素をほとんど、あるいは全くふくまない。あるいは、出力流れは未反応の臭素を含んでいてもよい。抽出器１１２の動作及びその選択した分離方法（例えば留分蒸留）、実際に生成された生成物や所望の反応の選択率により、アノード部で生成された反応物に対する炭素系反応物の最適モル比が決定される。未反応成分はいずれも第２の領域１１８に戻されて再生利用される。
【００５４】
[0054]同様に、ＣＯなど、電気化学的に形成された二酸化炭素還元生成物２１０の生成率は、電気化学電池１０２に印加する電流に比例するようになっている。二酸化炭素源１０６の第１の領域１１６への入力率すなわち供給率は、印加した電流に比例する。カソード反応効率により、形成される二酸化炭素還元生成物２１０の最大理論モル数が決定される。形成され得る二酸化炭素還元生成物の理論モル数に対する二酸化炭素供給の比は、１００：１〜２：１、好ましくは５０：１〜５：１の範囲であることが意図されている。この範囲であれば、二酸化炭素はカソード反応に必要な理論モルの過剰となる。そして過剰な二酸化炭素を抽出器１１０で分離して、第１の領域１１６に戻して再生利用する。
【００５５】
[0055]本発明において開示された方法は、装置により読み取り可能な指示群またはソフトウェアとして実施することができる。さらに、自明ではあるが、開示された方法における工程の特定の順序または階層は手法を例示したものである。自明ではあるが、開示された対象から逸脱することなく、設計上の優先事項に基づいて方法における工程の特定の順序または階層を並べ替えることができる。添付の方法請求項は、例としての順序で様々な工程の要素を示しており、必ずしも示された特定の順序または階層に限定されるものではない。
【００５６】
[0056]本開示及びこれに付随する多数の利点は上記の記述によって理解されると思われる。また、自明ではあるが、開示された対象から逸脱することなく、あるいはその実体の利点のすべてを犠牲にすることなく、構成要素の形態、構成、及び配置に対して様々な変更を加えることができる。上記の形態は、単に説明目的であり、以下の請求項はそのような変更を包含することを意図するものである。
【図１】
2015533947.tif 000004
【図２Ａ】
2015533947.tif 000005
【図２Ｂ】
2015533947.tif 000006
【図３Ａ】
2015533947.tif 000007
【図３Ｂ】
2015533947.tif 000008
【図４Ａ】
2015533947.tif 000009
【図４Ｂ】
2015533947.tif 000010
【図５】
2015533947.tif 000011
【図６】
2015533947.tif 000012
【国際調査報告】
2015533947.tif 000013